(57)【要約】【課題】簡潔な構成により経済的で地震荷重と熱荷重の両方に確実に対応できる長尺ガス絶縁母線等のガス絶縁電気装置における支持構造を提供する。【解決手段】導体部１ａを収容し絶縁ガスを充填した軸方向に延在する筒状の母線外被１と、母線外被１を支持する鉄鋼架台２と、鉄鋼架台２における母線外被の軸方向への変形に対し補強作用を行う斜め補強材５とを備え、斜め補強材５に架台２における外被１の軸方向への変形を吸収する粘弾性体等を緩衝媒質として構成されるダンパ装置６を設けた。【選択図】　　　　図１
2004120927.tif 000002
【特許請求の範囲】
【請求項１】
導体部を収容し絶縁ガスを充填した軸方向に延在する筒状の外被と、前記外被を支持する架台と、前記架台における前記外被の軸方向への変位に対し補強作用を行う斜め補強材とを備え、前記斜め補強材に前記架台における前記外被の軸方向への変位を吸収するダンパ装置を設けたことを特徴とするガス絶縁電気装置。
【請求項２】
導体部を収容し絶縁ガスを充填した軸方向に延在する筒状の外被と、前記外被を取り付けるための取り付け部材と、前記外被を前記取り付け部材を介して支持する架台とを備え、前記架台と前記取り付け部材との間に板状剛性部材と板状弾性部材とを積層して構成された免震装置を取り付けたことを特徴とするガス絶縁電気装置。
【請求項３】
導体部を収容し絶縁ガスを充填した軸方向に延在する筒状の外被と、前記外被を取り付けるための取り付け部材と、前記外被を前記取り付け部材を介して支持する架台とを備え、前記架台と前記取り付け部材との間に、回動自在に支承された回動部材で構成され前記外被の軸方向変位に応じ前記回動部材をばね付勢力に抗して回動するリンク機構を取り付けたことを特徴とするガス絶縁電気装置。
【請求項４】
導体部を収容し絶縁ガスを充填した軸方向に延在する筒状の外被と、前記外被を取り付けるための取り付け部材と、前記外被を前記取り付け部材を介して支持する架台とを備え、前記架台と前記取り付け部材との間に、移動自在に支承された可動ブロック部材で構成され前記外被の軸方向変位に応じ前記可動ブロック部材をばね付勢力に抗して移動する可動ブロック緩衝機構を取り付けたことを特徴とするガス絶縁電気装置。
【請求項５】
導体部を収容し絶縁ガスを充填した軸方向に延在する筒状の外被と、前記外被を取り付けるための取り付け部材と、前記外被を前記取り付け部材を介して支持する架台と、前記架台における前記外被の軸方向への変形に対し補強作用を行う斜め補強材とを備え、前記斜め補強材に前記架台における前記外被の軸方向への変形を吸収するダンパ装置を設けるとともに、前記架台と母線取り付け部材との間に板状剛性部材と複数枚の板状弾性部材とを積層して構成された免震装置を取り付けたことを特徴とするガス絶縁電気装置。
【請求項６】
導体部を収容し絶縁ガスを充填した軸方向に延在する筒状の外被と、前記外被を取り付けるための取り付け部材と、前記外被を前記取り付け部材を介して支持する架台と、前記架台における前記外被の軸方向への変形に対し補強作用を行う斜め補強材とを備え、前記斜め補強材に前記架台における前記外被の軸方向への変形を吸収するダンパ装置を設けるとともに、前記架台と母線取り付け部材との間に前記外被の軸方向移動に応じばね付勢力に抗して回動するリンク機構を取り付けたことを特徴とするガス絶縁電気装置。
【請求項７】
導体部を収容し絶縁ガスを充填した軸方向に延在する筒状の外被と、前記外被を取り付けるための取り付け部材と、前記外被を前記取り付け部材を介して支持する架台と、前記架台における前記外被の軸方向への変形に対し補強作用を行う斜め補強材とを備え、前記斜め補強材に前記架台における前記外被の軸方向への変形を吸収するダンパ装置を設けるとともに、前記架台と母線取り付け部材との間に前記外被の軸方向移動に応じばね付勢力に抗して移動する可動ブロック部材を取り付けたことを特徴とするガス絶縁電気装置。
【発明の詳細な説明】
【０００１】
【発明の属する技術分野】
この発明は、ガス絶縁電気装置、特に、電力機器に使われる長尺ガス絶縁母線の母線支持構造に関するものである。
【０００２】
【従来の技術】
近年、ガス絶縁母線の長尺化が進み、これを支える支持装置においても、地震時の変位を抑えるとともに、熱変形を吸収する構造が必要となってきている。
【０００３】
従来技術においては、筒状の母線外被を構成するよう互いに連結された複数の金属製シース間にベローズを設けていた（例えば、特許文献１参照）。
このようなガス絶縁母線においては使用中の負荷電流の変化や周囲温度の変化による熱変形はベロ―ズにより、吸収されるような構成になっている。
【０００４】
そして、金属製シースによって構成されるガス絶縁母線の外被は、外被の軸方向の変位を許容しその他の方位の変位を拘束する移動架台と、外被の全方位の変位を拘束する固定架台とによって支持される。
【０００５】
【特許文献１】
特開平１１−８９０６０号公報（第２頁、図１４）
【０００６】
【発明が解決しようとする課題】
上記のような従来の母線支持装置においては、母線長手軸方向の地震力に対し耐震性を確保するため固定架台の剛性を上げ、強固に母線外被を支持する必要がある。
一方、温度変化に伴う母線の熱変形を吸収するために設けられたベローズはコストの主要な部分を占め、ベローズの設置により、ガス絶縁母線の経済性が低下する。
ベローズを設けないで、母線外被の熱変形を吸収する手段としては、固定架台の剛性を下げて、母線外被が変形しやすくすることが考えられるが、これは前述の耐震性能に悪影響を及ぼす。
【０００７】
このように、従来の母線装置においては、地震荷重と熱荷重の相反する荷重条件を満足させるのは高価なベローズを設置しなければならないという問題点があった。
【０００８】
この発明は、上記のような問題点を解消するためになされたもので、簡潔な構成により経済的で地震荷重と熱荷重の両方に確実に対応できるガス絶縁電気装置を提供することを目的とする。
【０００９】
【課題を解決するための手段】
この発明によるガス絶縁電気装置では、導体部を収容し絶縁ガスを充填した軸方向に延在する筒状の外被を支持する架台の補強作用を行う斜め補強材に前記架台における前記外被の軸方向への変位を吸収するダンパ装置を設けたものである。
【００１０】
また、この発明によるガス絶縁電気装置では、導体部を収容し絶縁ガスを充填した軸方向に延在する筒状の外被を支持する架台と前記外被を取り付ける取り付け部材との間に板状剛性部材と板状弾性部材とを積層して構成された免震装置を取り付けたものである。
【００１１】
さらに、この発明によるガス絶縁電気装置では、導体部を収容し絶縁ガスを充填した軸方向に延在する筒状の外被を支持する架台と前記外被を取り付ける取り付け部材との間に、回動自在に支承された回動部材で構成され前記外被の軸方向変位に応じ前記回動部材をばね付勢力に抗して回動するリンク機構を取り付けたものである。
【００１２】
そして、この発明によるガス絶縁電気装置では、導体部を収容し絶縁ガスを充填した軸方向に延在する筒状の外被を支持する架台と前記外被を取り付ける取り付け部材との間に、移動自在に支承された可動ブロック部材で構成され前記外被の軸方向変位に応じ前記可動ブロック部材をばね付勢力に抗して移動する可動ブロック緩衝機構を取り付けたものである。
【００１３】
【発明の実施の形態】
実施の形態１．
この発明による実施の形態１を図１について説明する。図１は実施の形態１におけるガス絶縁母線装置の全体構成を示す側面図である。
【００１４】
図において、ＳＦ６　等の絶縁ガスを充填した導電性部材からなる筒状の母線外被１は母線導体となる棒状の導体部１ａを中心部に収容し、母線外被１は導体部１ａを中心軸とする方向に延在する。
母線外被１は取り付け座７を介して固定架台２に支持され、また、移動架台３により母線外被１の軸方向に変位可能に支持されている。
固定架台２は鉄構架台４および支え部材５からなり、支え部材５には粘弾性体等を緩衝媒質として構成されているダンパ装置６が設けられている。
【００１５】
この構成においては、熱変形のようなゆっくりした荷重に対しては、ダンパ装置６がゆっくり応答するため、ダンパ装置部分が大きな変形をすることができるため、それに伴い鉄構架台４は柔軟に変形する。
その結果、母線外被１に発生する熱応力は軽減され、鉄構架台４の荷重分担を下げることができる。
【００１６】
また、地震力が作用した場合、ダンパ装置６は地震応答速度に対応した動作をするため、このダンパ作用によるエネルギ吸収により鉄構架台４に作用する荷重を低減させることができる。
さらに、ダンパ効果により地震時の鉄構架台４の振動応答を下げる効果も有している。
【００１７】
この発明による実施の形態１によれば、導体部１ａを収容し絶縁ガスを充填した軸方向に延在する金属製シースからなる筒状の母線外被１と、前記母線外被１を支持する架台２と、前記架台２における前記母線外被１の軸方向への変位に対し補強作用を行う支え部材５からなる斜め補強材とを備え、前記支え部材５からなる斜め補強材に、前記架台２における前記母線外被１の軸方向への変位を吸収するための粘弾性体等を緩衝媒質とするダンパ装置６を設けたので、粘弾性体等を緩衝媒質とするダンパ装置による簡潔な構成により経済的で地震荷重と熱荷重の両方に確実に対応できるガス絶縁母線装置等のガス絶縁電気装置を提供することができる。
【００１８】
実施の形態２．
この発明による実施の形態２を図１および図２について説明する。図２は実施の形態２におけるガス絶縁母線装置の全体構成を示す側面図である。図３は実施の形態２における免震装置部分の構成を示す側面図である。
この実施の形態２において、ここで説明する特有の構成以外の構成内容については、先に説明した実施の形態１における構成と同様の構成内容を具備し同様の作用を奏するものである。
【００１９】
図２は、実施の形態２におけるガス絶縁母線装置の全体構成を示す側面図である。
図において、ＳＦ６　等の絶縁ガスを充填した導電性部材からなる母線外被１は母線導体となる導体部１ａを収容している。
母線外被１は取り付け座７を介して固定架台２に支持され、また、移動架台３により母線外被１の軸方向に変位可能に支持されている。
固定架台２は鉄構架台４および支え部材５からなり、支え部材５には粘弾性体等を緩衝媒質として構成されているダンパ装置６が設けられている。
母線外被１を取り付けるための取り付け座７と鉄構架台４に設けた架台取り付け座８との間には積層ゴムで構成された免震ゴム装置９からなる免震装置Ａが設けられている。
【００２０】
図３は、この発明による実施の形態２における免震装置Ａ部分を示すものである。
積層ゴム板を主体として構成された免震ゴム装置９は薄い鉄板９ａとゴム板９ｂとからなる重合体が複数個積層されたもので、その積層方向の両端面には鉄板９ａが配設されるように構成されている。
免震ゴム装置９における積層方向の剛性は高く、重量物を十分支えることができる。他方、横方向すなわち積層方向と直角方向では剛性が小さく、小さな荷重で容易に大きな剪断変形を起す。
【００２１】
この積層ゴム９を母線１と鉄構架台４間に固定して取り付けた状態で地震力が作用すると母線１が低振動数で振動するが、一般に地震波の卓越振動数より低い振動数となるように設定することにより地震時の母線１の振動応答を低減させることができ、鉄構架台４に作用する地震力を低減させることができるため鉄構架台４の剛性を下げることができる。
【００２２】
一方、母線は、屋外設置の場合は日射による温度上昇や、内部の通電による発熱により温度サイクルが生じ、温度上昇に比例して母線１は伸び縮みする。この熱変形分が外力として鉄構架台４に作用する。
【００２３】
この装置においては、この熱変形を免震ゴム装置９の剪断変形で吸収させ鉄構架台４への外力伝達を極力抑えることができる。
【００２４】
この発明による実施の形態２によれば、導体部１ａを収容し絶縁ガスを充填した軸方向に延在する金属製シースからなる筒状の母線外被１と、前記母線外被１を取り付けるための取り付け座７からなる取り付け部材と、前記母線外被１を前記取り付け座７からなる取り付け部材を介して支持する鉄構架台４と、前記鉄構架台４と前記取り付け座７からなる取り付け部材との間に複数枚の薄い鉄板９ａからなる板状剛性部材と複数枚のゴム板９ｂからなる板状弾性部材とを交互に積層して構成された免震ゴム装置９からなる免震装置Ａを取り付けたので、複数枚の板状剛性部材と複数枚の板状弾性部材とを交互に積層して構成された剪断変形に基づく免震装置による簡潔な構成により経済的で地震荷重と熱荷重の両方に確実に対応できるガス絶縁母線装置等のガス絶縁電気装置を提供することができる。
【００２５】
また、この発明による実施の形態２によれば、導体部１ａを収容し絶縁ガスを充填した軸方向に延在する金属製シースからなる筒状の母線外被１と、前記母線外被１を取り付けるための取り付け座７からなる取り付け部材と、前記母線外被を前記取り付け座７からなる取り付け部材を介して支持する鉄構架台４と、前記鉄構架台４における前記母線外被１の軸方向への変位に対し補強作用を行う支え部材５からなる斜め補強材とを備え、前記支え部材５からなる斜め補強材に前記鉄構架台４における前記母線外被１の軸方向への変位を吸収するための粘弾性体等を緩衝媒質とするダンパ装置６を設けるとともに、前記鉄構架台４と前記取り付け座７からなる取り付け部材との間に複数枚の薄い鉄板９ａからなる板状剛性部材と複数枚のゴム板９ｂからなる板状弾性部材とを交互に積層して構成された免震ゴム装置９からなる免震装置Ａを取り付けたので、粘弾性体等を緩衝媒質とするダンパ装置および複数枚の板状剛性部材と複数枚の板状弾性部材とを交互に積層して構成された剪断変形に基づく免震装置の協調による簡潔な構成により経済的で地震荷重と熱荷重の両方に確実に対応できるガス絶縁母線装置等のガス絶縁電気装置を提供することができる。
【００２６】
実施の形態３．
この発明による実施の形態３を図４および図５について説明する。図４は実施の形態３におけるガス絶縁母線装置の全体構成を示す側面図である。図５は実施の形態３におけるリンク機構部分の構成を示す側面図である。
この実施の形態３において、ここで説明する特有の構成以外の構成内容については、先に説明した実施の形態１における構成と同様の構成内容を具備し同様の作用を奏するものである。
【００２７】
図４は、実施の形態３におけるガス絶縁母線装置の全体構成を示す側面図である。
図において、ＳＦ６　等の絶縁ガスを充填した導電性部材からなる母線外被１は母線導体となる導体部１ａを収容している。
母線外被１は取り付け座１５を介して固定架台２に支持され、また、移動架台３により母線外被１の軸方向に変位可能に支持されている。
固定架台２は鉄構架台４および支え部材５からなり、支え部材５には粘弾性体等を緩衝媒質として構成されているダンパ装置６が設けられている。
鉄構架台４に取り付けられた取り付け座１４と母線外被１に取り付けられた取り付け座１５との間には、緩衝用リンク機構Ｂが設けられている。
【００２８】
図５は、実施の形態３における緩衝用リンク機構Ｂ部分の構成を示すものである。
クランク腕１０はその中心部を鉄構架台４の取り付け座１４にピン１１によって回動自在に枢着されて支承され、一端を母線１に取付けられた取付座１５にピン１２で回動自在に連結されている。
コイルばねからなるばね１３は一端をクランク腕１０の他端に固定され、他端を取付け座１４に固定されている。
【００２９】
この装置において、母線外被１に熱変形が生じると、ピン１２を中心にクランク腕１０が回動し緩衝用リンク機構Ｂが応動する。
このとき、このクランク腕１０に固定されたばね１３に力が伝わるが、ばね１３に作用する力をてこの原理により図中の腕比Ｌ１とＬ２の比Ｌ１／Ｌ２を大きくすることにより低減することができる。
【００３０】
一般に熱変形による外力の大きさは、地震力に比べ１桁以上大きな荷重であるため、ばね定数はかなり高く設定することができる。
したがって、地震力が作用してもばね係数が大きいので母線系の振動応答が極端に大きくなることはない。
耐震性能を確保するために鉄構架台４の剛性を高くしても熱荷重に対しては、リンク・ばね部で力を吸収し鉄構架台４に作用する外力を低減することができる。
【００３１】
なお、この実施の形態３では、取付け座１４の両端にクランク腕１０とばね１３を配したが、取付け座をＵ型とし、このＵ溝部にクランク腕を持つリンク機構とばねを配しても同様の効果が得られる。
また、ばねと並列に粘弾性体を緩衝媒質としたダンパ手段を配置するように構成すると、ダンパ効果により、地震の際のエネルギが吸収されるので、耐震性能を向上させる効果が得られる。
【００３２】
この発明による実施の形態３によれば、導体部１ａを収容し絶縁ガスを充填した軸方向に延在する金属製シースからなる筒状の母線外被１と、前記母線外被１を取り付けるための取り付け座７からなる取り付け部材と、前記母線外被を前記取り付け座７からなる取り付け部材を介して支持する鉄構架台４と、前記鉄構架台４と前記取り付け座７からなる取り付け部材との間に、ピン１１により回動自在に支承されたクランク腕１０からなる回動部材で構成され前記母線外被１の軸方向変位に応じ前記クランク腕１０からなる回動部材をばね１３のばね付勢力に抗して回動するリンク機構を取り付けたので、回動部材とばねとからなるリンク機構による簡潔な構成により経済的で地震荷重と熱荷重の両方に確実に対応できるガス絶縁母線装置等のガス絶縁電気装置を提供することができる。
【００３３】
また、この発明による実施の形態３によれば、導体部１ａを収容し絶縁ガスを充填した軸方向に延在する金属製シースからなる筒状の母線外被１と、前記母線外被１を取り付けるための取り付け座７からなる取り付け部材と、前記母線外被を前記取り付け座７からなる取り付け部材を介して支持する鉄構架台４と、前記鉄構架台４における前記母線外被１の軸方向への変形に対し補強作用を行う支え部材５からなる斜め補強材とを備え、前記支え部材５からなる斜め補強材に前記鉄構架台４における前記母線外被１の軸方向変位を吸収するダンパ装置６を設けるとともに、前記鉄構架台４と前記取り付け座７からなる取り付け部材との間に、ピン１１により回動自在に支承されたクランク腕１０からなる回動部材で構成され前記母線外被１の軸方向変位に応じ前記クランク腕１０からなる回動部材をばね１３のばね付勢力に抗して回動するリンク機構を取り付けたので、粘弾性体等を緩衝媒質とするダンパ装置および回動部材とばねとからなるリンク機構の協調による簡潔な構成により経済的で地震荷重と熱荷重の両方に確実に対応できるガス絶縁母線装置等のガス絶縁電気装置を提供することができる。
【００３４】
実施の形態４．
この発明による実施の形態４を図６ないし図８について説明する。図６は実施の形態４におけるガス絶縁母線装置の全体構成を示す側面図である。図７は実施の形態４における可動ブロック部分の構成を示す斜視図である。図８は実施の形態４における可動ブロック部分の構成を示す側面図である。
この実施の形態４において、ここで説明する特有の構成以外の構成内容については、先に説明した実施の形態１における構成と同様の構成内容を具備し同様の作用を奏するものである。
【００３５】
図６は、実施の形態３におけるガス絶縁母線装置の全体構成を示す側面図である。
図において、ＳＦ６　等の絶縁ガスを充填した導電性部材からなる母線外被１は母線導体となる導体部１ａを収容している。
母線外被１は取り付け座２０を介して固定架台２に支持され、また、移動架台３により母線外被１の軸方向に変位可能に支持されている。
固定架台２は鉄構架台４及び支え部材５からなり、支え部材５には粘弾性体等を緩衝媒質として構成されているダンパ装置６が設けられている。
鉄構架台４に取り付けられた取り付け座１８と母線外被１に取り付けられた取り付け座２０との間には、可動ブロック緩衝機構Ｃが設けられている。
【００３６】
図７および図８は、実施の形態４における可動ブロック緩衝機構Ｃ部分の構成を示す斜視図および側面図である。
可動ブロック１７は、鉄構架台４に固定された取り付け座１８に移動自在に支承され、コイルばねからなるばね１６により付勢されて、母線側取付け座２０に圧接されている。
なお、このばね１６および可動ブロック１７は取り付け座２０に対し両サイドに設置する。
【００３７】
実施の形態３で記述したように熱変形による荷重は地震荷重に比べかなり大きいので、ばね１７のばね定数は大きなものに対応できる。
なお、このばね定数は、最大想定熱変形量と導体部１ａおよび母線外被１を有する母線の断面形状および母線の材質から算出される熱荷重から容易に求めることができる。
【００３８】
このような構成において母線外被１に熱変形が生じるとこの熱変形に対応した熱荷重でばね１６を伸び縮みさせると同時に取付け座２０にばね荷重が作用し、片持ち構造の母線固定取付け座２０は曲げ変形を生じる。
この母線固定取付け座２０の曲げ変形により、可動ブロック１７はその質量による慣性およびばね１６の付勢力に抗して移動し、母線固定取付け座２０の曲げ変形を吸収する。
【００３９】
地震により母線外被１に変形が生じると、母線固定取付け座２０に曲げ変形が発生し、この母線固定取付け座２０の地震力に応じた曲げ変形により、可動ブロック１７はその質量による慣性およびばね１６の付勢力に抗して移動し、母線固定取付け座２０の曲げ変形を吸収する。
【００４０】
この実施の形態４では、母線固定取付け座２０がばね力により変形させることが必要である。
地震力に対しては、ばねのばね定数が大きい値に設定されるため極端な振動応答の増加はない。
耐震性能を確保するために鉄構架台４の剛性を高くしても熱荷重に対しては、ばね・母線固定取付け座部で力を吸収し鉄構架台４に作用する外力を低減することができる。
【００４１】
この発明による実施の形態４によれば、導体部１ａを収容し絶縁ガスを充填した軸方向に延在する金属製シースからなる筒状の母線外被１と、前記母線外被１を取り付けるための取り付け座７からなる取り付け部材と、前記母線外被を前記取り付け座７からなる取り付け部材を介して支持する鉄構架台４と、前記鉄構架台４と前記取り付け座７からなる取り付け部材との間に、移動自在に支承された可動ブロック１７からなる可動ブロック部材で構成され前記外被の軸方向変位に応じ前記可動ブロック１７からなる可動ブロック部材をばね１６のばね付勢力に抗して移動する可動ブロック緩衝機構を取り付けたので、可動ブロック部材とばねとからなる可動ブロック緩衝機構による簡潔な構成により経済的で地震荷重と熱荷重の両方に確実に対応できるガス絶縁母線装置等のガス絶縁電気装置を提供することができる。
【００４２】
また、この発明による実施の形態４によれば、導体部１ａを収容し絶縁ガスを充填した軸方向に延在する金属製シースからなる筒状の母線外被１と、前記母線外被１を取り付けるための取り付け座７からなる取り付け部材と、前記母線外被を前記取り付け座７からなる取り付け部材を介して支持する鉄構架台４と、前記鉄構架台４における前記母線外被１の軸方向への変形に対し補強作用を行う支え部材５からなる斜め補強材とを備え、前記支え部材５からなる斜め補強材に前記鉄構架台４における前記母線外被１の軸方向変位を吸収するダンパ装置６を設けるとともに、前記鉄構架台４と前記取り付け座７からなる取り付け部材との間に、移動自在に支承された可動ブロック１７からなる可動ブロック部材で構成され前記外被の軸方向変位に応じ前記可動ブロック１７からなる可動ブロック部材をばね１６のばね付勢力に抗して移動する可動ブロック緩衝機構を取り付けたので、粘弾性体等を緩衝媒質とするダンパ装置および可動ブロック部材とばねとからなる可動ブロック緩衝機構の協調による簡潔な構成により経済的で地震荷重と熱荷重の両方に確実に対応できるガス絶縁母線装置等のガス絶縁電気装置を提供することができる。
【００４３】
【発明の効果】
この発明によれば、簡潔な構成により経済的で地震荷重と熱荷重の両方に確実に対応できるガス絶縁電気装置を提供することができる。
【図面の簡単な説明】
【図１】この発明による実施の形態１におけるガス絶縁母線装置の全体構成を示す側面図である。
【図２】この発明による実施の形態２におけるガス絶縁母線装置の全体構成を示す側面図である。
【図３】この発明による実施の形態２における免震装置部分の構成を示す斜視図である。
【図４】この発明による実施の形態３におけるガス絶縁母線装置の全体構成を示す側面図である。
【図５】この発明による実施の形態３におけるリンク機構部分の構成を示す斜視図である。
【図６】この発明による実施の形態４におけるガス絶縁母線装置の全体構成を示す側面図である。
【図７】この発明による実施の形態４における可動ブロック部分の構成を示す斜視図である。
【図８】この発明による実施の形態４における可動ブロック部分の構成を示す側面図である。
【符号の説明】
１　母線外被、２　固定架台、３　移動架台、４　鉄構架台、５　支え部材、６　ダンパ、７，８　取り付け座、９　積層ゴム、１０　クランク腕、１１，１２　ピン、１３　ばね、１４，１５　取付け座、１６　ばね、１７　可動ブロック、１８，２０　取付け座。
【図１】
2004120927.tif 000003
【図２】
2004120927.tif 000004
【図３】
2004120927.tif 000005
【図４】
2004120927.tif 000006
【図５】
2004120927.tif 000007
【図６】
2004120927.tif 000008
【図７】
2004120927.tif 000009
【図８】
2004120927.tif 000010